(57)【要約】【課題】従来の閉塞栓の防水手段は閉塞栓本体をカバ−していないので、端子跡穴に接触する閉塞栓本体の外表面を防水ゴムキャップでカバ−した閉塞栓を提供する。【解決手段】台形状のモルタル素材の開口穴２側の内部に、内側方向に傾斜させた逆止片３を有する底部に蓋４を取り付けてなる合成樹脂素材による係合保持具５を埋設した閉塞栓本体１を形成し、その閉塞栓本体１の開口穴２側から外周端部までを一体に覆う通し穴６付き防水ゴムキャップ７を組み合わせた閉塞栓８とする。【選択図】図１
0003127501.tif 000002
【実用新案登録請求の範囲】
【請求項１】
コンクリ−ト構築物の端子跡穴を塞ぐ栓であって、断面形状が台形状を成す開口穴側の内部に、逆止片付き係合保持具を埋設してなる閉塞栓本体を形成し、該閉塞栓本体の開口穴側から外周端部を覆う通し穴付き防水ゴムキャップを取り付けた構成を特徴とする防水外装した閉塞栓。
【請求項２】
上記の防水ゴムキャップが、通し穴面の端周部に突縁を形成してなる請求項１に記載する防水外装した閉塞栓。
【考案の詳細な説明】
【技術分野】
【０００１】  本考案は、コンクリ−ト構築物の壁面に残る端子跡穴を塞ぐ閉塞栓をセパレ−タ端部に容易に取り付けられるとともに、防水効果と閉塞栓の破損防止効果も得られる閉塞栓に関する。
【背景技術】
【０００２】  従来、コンクリ−ト構築物の壁面には、型枠形成時に埋め込まれたセパレ−タの端子跡穴が残るので様々な閉塞栓で塞いでいる。その閉塞栓の一つとして押し込むだけで容易にセパレ−タ端部に強固に係合し、かつ防水性がある閉塞栓が提供されている。（例えば、特許文献１参照）
【特許文献１】実用新案登録第３０８９３１４号公報
【考案の開示】
【考案が解決しようとする課題】
【０００３】  上記する実用新案登録第３０８９３１４号公報による技術は、モルタル素材による台形状の閉塞栓の内部に、セパレ−タのネジに係合する逆止片付き固着保持具を埋設してなる閉塞栓の開口穴側や外周に、通し穴付き水膨張性ゴム板又は水膨張性ゴムキャップを取り付けた閉塞栓であり、端子跡穴を塞ぐ際は閉塞栓を押し込むと、前記する閉塞栓の逆止片が端子跡穴のセパレ−タのネジ部に係合することで、慣れない者でも確実にして容易に取り付けられることに加え、水膨張性ゴム板や水膨張性ゴムキャップによる防水効果を得られる閉塞栓である。【０００４】  しかし、前記の水膨張性ゴム板は閉塞栓の開口穴面に、また水膨張性ゴムキャップの場合は閉塞栓の外周に設けた一回り細い段周部に組み合わせてそれぞれ接着する手間が掛かるとともに、段周部を設けるタイプはゴムキャップの厚さ分径を細く形成する必要があるなどのコスト高に加え、取り付けたゴムキャップは、閉塞栓の大径側端部までカバ−していないので、保管や出荷時における閉塞栓どうしの接触による角の破損や端子跡穴に取り付ける際における閉塞栓の角部の破損を防ぐことができないなどの不便や欠点があった。
【課題を解決するための手段】
【０００５】  本考案は上記する閉塞栓の持つ不便や欠点を解消するために、請求項１においては、断面形状が台形状を成す開口穴側の内部に逆止片付き係合保持具を埋設してなる閉塞栓本体に、開口穴側から外周端部までを覆う通し穴付き防水ゴムキャップを取り付けることにより、端子跡穴のセパレ−タに固着できるとともに、端子跡穴と閉塞栓の接触面全体をパッキングによる防水効果を得られる防水外装した閉塞栓とする。【０００６】  請求項２においては、上記する防水ゴムキャップの通し穴面の端周部に突縁を形成することで、端子跡穴と閉塞栓の接触面の密着度を高いものにする。
【考案の効果】
【０００７】  本考案による閉塞栓は、開口穴側の内部に逆止片付き係合保持具を埋設しているので、端子跡穴に押し込むとセパレ−タ端部のネジ部が押し込まれるとともに、ネジ部と逆止片のツメが噛み合うので、一々接着剤を用いなくても抜けたり緩むことなく慣れない者でも確実にしてスピィデ−に端子跡穴を塞ぐことができる閉塞栓を提供できる。【０００８】  加えて、閉塞栓本体の開口穴側から外周端部まで一体に防水ゴムキャップでカバ−することに加え、通し穴はセパレ−タを締め付けるとともに、その端周部には突縁を設けているので、閉塞栓を強く押し込むにつれ前記する突縁に押し圧が加わるので、端子跡穴と閉塞栓の密着度を高めて効果的な防水作用を得られる。さらにモルタル素材による閉塞栓本体の角部まで防水ゴムキャップでカバ−されるので、保管や出荷時に閉塞栓どうしがぶつかりあったり、端子跡穴を塞ぐ際にコンクリ−トに当たっても閉塞栓本体の角部の破損や傷みを防止することができるシンプルにして効果的な防水手段を有する閉塞栓である。
【考案を実施するための最良の形態】
【０００９】  コンクリ−トの端子跡穴を容易にして確実に塞ぎ、かつ、効果的な防水性を有する閉塞栓とするために、閉塞栓本体内部に逆止片付き係合保持具を埋設するものとし、その閉塞栓本体の外周に、天然ゴムや合成ゴム、水膨張性ゴム、弾性合成樹脂素材等によるパッキング（以下、防水ゴムキャップと称する）を組み合わせたものとする。
【実施例】
【００１０】  本考案の閉塞栓を図１に示す一部欠損した斜視図と図２に示す分解斜視図、図３に示す閉塞栓本体の平面図で説明する。実施例における閉塞栓本体１は、モルタル素材による台形状を成す開口穴２側の内部に、内側方向に傾斜させた逆止片３，３を有し、かつ底部に蓋４を取り付けてなる合成樹脂素材による係合保持具５を埋設した閉塞栓本体１を形成し、その閉塞栓本体１の開口穴２側から外周端部までを一体に覆う、ゴムや合成ゴム又は軟質合成樹脂素材等による通し穴６付き防水ゴムキャップ７を組み合わせてなる閉塞栓８を構成する。尚、前記する防水ゴムキャップ７は、通し穴６面側の端部に少し高い突縁９を形成するものとする。【００１１】  実施例における閉塞栓本体１は、開口穴２側の内部に逆止片３，３付き係合保持具５を埋設した閉塞栓本体１を形成しているので、コンクリ−ト構築物の端子跡穴を塞ぐ際は、図４に示すように端子跡穴に押し込むと、セパレ−タ１０のネジ部分が逆止片３を押し広げならが収まるとともに、逆止片３のツメがセパレ−タ１０のネジ溝に食い込むことにより接着剤を用いなくても抜けたり緩まない。加えて、閉塞栓本体１の開口穴２側から外周端部まで、パッキング部材となる防水ゴムキャップ７でカバ−しているので、閉塞栓本体１を軟質弾性素材による防水ゴムキャップ７で外装した閉塞栓６を形成するので、閉塞栓どうしがぶつかりあってもモルタル素材の閉塞栓本体１の角部が破損するのを防ぐ効果もある。【００１２】  さらに、防水ゴムキャップ７の通し穴６はセパレ−タ１０より小さいため、取り付けた際は通し穴６部がセパレ−タ１０棒を強く締め付ける作用を得るとともに、通し穴６面の端周部に少し高い突縁９を設けているので、強く押し込むにしたがい突縁９に押し圧が加わるので、端子跡穴面と閉塞栓８の密着度を高めて有効な防水効果を得られる閉塞栓８を構成する。【００１３】  本考案の閉塞栓８は以上のような構成であるが、閉塞栓本体１に埋設した係合保持具５の逆止片３は４枚図示しているが、３枚以上であればさらに多くても構わない。また、閉塞栓本体１の外周に取り付ける防水ゴムキャップ７は特に接着しなくてもよいが、接着してもよい。さらに閉塞栓本体１の外周と防水ゴムキャップ７の内側接合面がお互いに凹凸で係合するものであってもよく、いずれも特に限定されるものではない。
【図面の簡単な説明】
【００１４】
【図１】本考案の閉塞栓の実施例を示す一部欠損した斜視図である。
【図２】実施例の閉塞栓本体と防水ゴムキャップを分解した斜視図である。
【図３】閉塞栓本体を示す平面図である。
【図４】本考案の閉塞栓をコンクリ−トの端子跡穴に取り付けた参考図である。
【符号の説明】
【００１５】  １  閉塞栓本体
２  開口穴
３  逆止片
４  蓋
５  係合保持具
６  通し穴
７  防水ゴムキャップ
８  閉塞栓
９  突縁
１０  セパレ−タ
【図１】
0003127501.tif 000003
【図２】
0003127501.tif 000004
【図３】
0003127501.tif 000005
【図４】
0003127501.tif 000006